Podtech/llm-jp-corpus-v4-ja_patent huggingface dataset:
【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】  下記式（Ｉ）の化合物：
【化１】
2004513130.tif 000001
［式中、X = CH、N、
X1 = O、S、N、CH、
RおよびR1は同一であっても異なっていてもよく、-H、OH、OR5 （R5はC1-C4のアルキルまたはベンジルであり、２つのOR5基が近接する場合はR5はメチレンである）からなる群から選択されるか、あるいはRおよびR1は独立に、ニトロ； C1-C4アルキルで置換されていてもよいモノ−置換またはジ−置換アミノ；カルボキシ；アルコキシ(C1-C4)カルボニルであってもよい；
RおよびR1は一緒になって５または６原子を有する脂肪族または芳香族環状基を形成してもよい；
X1 = N、CHの場合、R2は−H、フェニル、ベンジル、直鎖状または分枝状C1-C6アルキルからなる群から選択される；
ｎは０から４の整数である；
R3は、R4と同一であっても異なっていてもよく、-H, - OH, - OR6（R6は直鎖状または分枝状C1-C4アルキルであるか、あるいはR3 = R4 = OR6であって近接する場合はR6はイソプロピリデン）である；
A1=Hの場合は、Aは下記式のものである；
【化２】
2004513130.tif 000002
A=H、R7の場合は、A1は下記式のものである；
【化３】
2004513130.tif 000003
（R7は、OH、OR6の１または２つの基で置換されていてもよいC1-C4直鎖状または分枝状アルキル（２つのOR6基が近接している場合はR6はイソプロピリデン）であるか、R7 はホルミル (CHO)、オキシム (CH=NOH)である）］、その異性体およびその混合物、代謝産物およびその代謝前駆物質または生物学的前駆物質。
【請求項２】  医薬としての請求項１に記載の化合物。
【請求項３】  活性成分として請求項１に記載の化合物、および少なくとも医薬上許容される賦形剤および／または希釈剤を含む医薬組成物。
【請求項４】  腫瘍が、肉腫、癌腫、カルチノイド、骨腫瘍、神経内分泌腫瘍、リンパ系白血病、急性前骨髄球性白血病、骨髄球性白血病、単核球性白血病、巨核芽球白血病およびホジキン病からなる群から選択される、腫瘍症状の治療用の請求項３に記載の組成物。
【請求項５】  異常な血管新生によって引き起こされる症状の治療用の請求項３に記載の組成物。
【請求項６】  異常な血管新生によって引き起こされる症状が、腫瘍転移、関節炎、糖尿病性網膜症、乾癬、慢性炎症性疾患および動脈硬化症からなる群から選択される請求項５に記載の組成物。
【請求項７】  式（Ｉ）の化合物と１または複数の既知の抗癌剤からなる組み合わせであって、既知の抗癌剤が、アルキル化剤、トポイソメラーゼ阻害剤、抗チューブリン剤、インターカレート化合物、抗代謝剤、ビンカアルカロイドなどの天然物、エピポドフィロトキシン、抗生物質、酵素、タキサン、細胞分化化合物および抗血管新生化合物からなる群から選択される組み合わせ。
【請求項８】  活性成分として請求項７に記載の組み合わせと１または複数の医薬上許容される賦形剤または媒体を含む医薬組成物。
【請求項９】  式（Ｉ）の化合物が抗癌化合物の補助剤として存在することを特徴とする、請求項８に記載の組成物。
【請求項１０】  式（Ｉ）の化合物と既知の抗癌剤とが同時にまたは特定の順序で逐次に投与されることを特徴とする、請求項８に記載の組成物。
【請求項１１】  錠剤、カプセル、散剤、溶液、懸濁液、バイアル、シロップ、坐剤、浣腸、泡状剤(foam)またはリポソーム製剤の形態の、経口、非経口または直腸投与に有用な請求項３〜６または８〜１０のいずれかに記載の組成物。
【請求項１２】  １または複数の既知の抗癌剤との組み合わせて請求項１に記載の化合物を含む抗腫瘍活性を有する医薬組成物。
【手続補正書】
【提出日】平成15年5月2日(2003.5.2)
【手続補正１】
【補正対象書類名】明細書
【補正対象項目名】特許請求の範囲
【補正方法】変更
【補正の内容】
【特許請求の範囲】
【請求項１】
以下の式（ＩＡ）：
【化１】
2004513119.tif 000001
により表される１水和物又はその互変異性体若しくは両性イオン。
【請求項２】
以下の式（ＩＢ）：
【化２】
2004513119.tif 000002
により表される１−ＤＭＳＯ−溶媒和物又はその互変異性体若しくは両性イオン。
【請求項３】
請求項１に記載の式（ＩＡ）の１水和物、又はその互変異性体若しくは両性イオン、及び薬剤として許容される希釈剤、アジュバント又は担体を含む医薬組成物。
【請求項４】
薬剤として使用するための請求項１に記載の１水和物又はその互変異性体若しくは両性イオン。
【請求項５】
ｕＰＡが仲介する症状の治療に有用な薬剤として使用される、請求項１に記載の１水和物（ＩＡ）又はその互変異性体若しくは両性イオン。
【請求項６】
ｕＰＡが仲介する症状又は過程、例えば慢性の皮膚潰瘍、血管形成（血管新生）、骨の再構築、子宮内の胚の着床、免疫細胞の炎症部位への浸潤、排卵、精子形成、外傷の修復及び器官分化における組織再形成、線維症、隣接部位への腫瘍の局所浸潤、１次部位から２次部位への腫瘍細胞の転移性の拡大、及び関節炎における組織破壊、の治療のための薬剤であって、請求項１に記載の１水和物（ＩＡ）又はその互変異性体若しくは両性イオンを含む前記薬剤。
【請求項７】
ｕＰＡが仲介する症状又は過程、例えば慢性の皮膚潰瘍、血管形成（血管新生）、骨の再構築、子宮内の胚の着床、免疫細胞の炎症部位への浸潤、排卵、精子形成、外傷の修復及び器官分化における組織再形成、線維症、隣接部位への腫瘍の局所浸潤、１次部位から２次部位への腫瘍細胞の転移性の拡大、及び関節炎における組織破壊、の治療のための医薬組成物であって、請求項１に記載の１水和物（ＩＡ）又はその互変異性体若しくは両性イオンの治療的用量を含む前記医薬組成物。
【請求項８】
パックであって以下の：
請求項１で定義された１水和物（ＩＡ）であってその互変異性体及び両性イオンを含み、場合により、薬剤として許容される希釈剤、アジュバント又は担体を含む薬剤成分；
ｕＰＡが仲介する症状の治療を使用者に指導する指示書；
及び包装
を含む前記パック。
【請求項９】
以下の式（IX）：
【化３】
2004513119.tif 000003
｛式中、ＭはＮａ、Ｋ又はＬｉ｝
により表されるカルボン酸塩、又はその互変異性体。
【請求項１０】
以下の式（VIII）：
【化４】
2004513119.tif 000004
により表されるニトリルの酸塩、例えば酢酸塩、安息香酸塩若しくはｐ−トルエンスルホン酸塩、又はその互変異性体。
【請求項１１】
請求項１に記載の１水和物（ＩＡ）又はその両性イオン若しくは互変異性体の製造方法であって、請求項９に記載の式（IX）のカルボン酸塩の酸化を含む前記方法。
【請求項１２】
請求項９に記載の式（IX）のカルボン酸塩の製造方法であって、Ｍが請求項９に記載の金属カチオンＭ+ の存在下における、塩基触媒による請求項１０に記載の式（VIII）のニトリル又はその酸塩の加水分解を含む前記方法。
【請求項１３】
以下の式（VIII）：
【化５】
2004513119.tif 000005
により表される化合物又はその互変異性体の製造方法であって、以下の式（VI）：
【化６】
2004513119.tif 000006
により表される化合物を（ａ）グアニジン炭酸塩又は（ｂ）グアニジン塩酸塩及びカリウムｔ−ブトキシドと反応させることによる前記方法。
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体であって、ｄ値（Å）：
【表１】
2004513112.tif 000001
（（ｖｓ）＝非常に強い、（ｓ）＝強い、（ｍ）＝中庸、（ｗ）＝弱い、（ｖｗ）＝非常に弱い）
で表される特徴的なピークを有する粉末Ｘ線回折特性図を示す結晶多形体。
【請求項２】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体であって、ｄ値（Å）：
【表３】
2004513112.tif 000002
（（ｓ）＝強い、（ｍ）＝中庸、（ｗ）＝弱い、（ｖｗ）＝非常に弱い）
で表される特徴的なピークを有する粉末Ｘ線回折特性図を示す結晶多形体。
【請求項３】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体であって、ｄ値（Å）：
【表４】
2004513112.tif 000003
（（ｓ）＝強い、（ｍ）＝中庸、（ｗ）＝弱い、（ｖｗ）＝非常に弱い）
で表される特徴的なピークを有する粉末Ｘ線回折特性図を示す結晶多形体。
【請求項４】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体であって、ｄ値（Å）：
【表５】
2004513112.tif 000004
（（ｓ）＝強い、（ｍ）＝中庸、（ｗ）＝弱い、（ｖｗ）＝非常に弱い）
で表される特徴的なピークを有する粉末Ｘ線回折特性図を示す結晶多形体。
【請求項５】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体であって、ｄ値（Å）：
【表６】
2004513112.tif 000005
（（ｖｓ）＝非常に強い、（ｓ）＝強い、（ｍ）＝中庸、（ｗ）＝弱い、（ｖｗ）＝非常に弱い）
で表される特徴的なピークを有する粉末Ｘ線回折特性図を示す結晶多形体。
【請求項６】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体であって、ｄ値（Å）：
【表７】
2004513112.tif 000006
（（ｓ）＝強い、（ｍ）＝中庸、（ｗ）＝弱い、（ｖｗ）＝非常に弱い）
で表される特徴的なピークを有する粉末Ｘ線回折特性図を示す結晶多形体。
【請求項７】  （３Ｒ，５Ｓ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体である、請求項１〜６のいずれか記載の結晶多形体。
【請求項８】  （３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の結晶多形体である、請求項１〜６のいずれか記載の結晶多形体。
【請求項９】  （３Ｒ，５Ｓ）−又は（３Ｓ，５Ｒ）−７−（３−（４−フルオロフェニル）−１−（１−メチルエチル）−１Ｈ−インドール−２−イル）−３，５−ジヒドロキシ−６−ヘプテン酸一ナトリウム塩の水性溶液を処理して、化合物の少なくとも最少の沈殿を生じさせたのち、その懸濁液又は沈殿した化合物を凍結乾燥させることを含む、請求項１記載の結晶多形体の調製方法。
【請求項１０】  請求項１記載の結晶多形体を所定の相対湿度の雰囲気に曝露することを含む、請求項２〜６のいずれか記載の結晶多形体の調製方法。
【請求項１１】  請求項１〜６のいずれか記載の結晶多形体の有効量及び薬学的に許容しうる担体を含む医薬組成物。
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】  構造式Ｉ
【化１】
2004513118.tif 000001
［式中、R1はハロフェニルであり；
R2はNE1E2 であり、ここでE1は水素およびC1-3アルキルから選択され、E2はC1-3アルキルおよび(CH2)nフェニルから選択され、ここでｎは１、２または３から選択され；そして
R3はフェニル、1,3−ベンゾジオキソリル、および独立してハロ、C1-3アルキル、ペルハロC1-3アルキル、HC(O)−、C1-3アルコキシおよびC1-3アルキルカルボニルから選択される１、２または３個の基で置換されたフェニルから選択される］の化合物。
【請求項２】  R1はフルオロフェニルであり；
R2はNE1E2 であり、ここでE1は水素およびメチルから選択され、E2はメチルであり；そして
R3はフェニル、1,3−ベンゾジオキソール−5−イル、および独立してクロロ、フルオロ、メチル、エチル、メトキシ、エトキシ、トリフルオロメチル、HC(O)−およびCH3C(O)−から選択される１、２または３個の基で置換されたフェニルから選択される請求項１記載の化合物。
【請求項３】  R1は３−フルオロフェニルであり；
R2はNE1E2 であり、ここでE1は水素およびメチルから選択され、E2はメチルであり；そして
R3はフェニル、1,3−ベンゾジオキソール−5−イル、および独立してクロロ、フルオロ、メチル、エチル、メトキシ、エトキシ、トリフルオロメチル、HC(O)−およびCH3C(O)−から選択される１、２または３個の基で置換されたフェニルから選択される請求項２記載の化合物。
【請求項４】  請求項１記載の化合物を含む疼痛を治療するための薬剤。
【請求項５】  ａ）下記のようにして構造式IIの置換アセトフェノンを無水酢酸および水素化ナトリウムと反応させて構造式IIIの３−オキソ−プロピオン酸エチルエステルを生成し
【化２】
2004513118.tif 000002
ｂ）下記のようにして構造式IIIの化合物を４−ブロモアニリンと反応させて構造式IVの3−置換3−(4−ブロモフェニルアミノ)アクリル酸ブチルエステルを生成し
【化３】
2004513118.tif 000003
ｃ）下記のようにして構造式IVの化合物を環化して構造式Ｖの2−置換6−ブロモ−4−ヒドロキシ−キノリンを生成し
【化４】
2004513118.tif 000004
ｄ）下記のようにして構造式Ｖの化合物を塩素化して構造式VIの化合物を生成し
【化５】
2004513118.tif 000005
ｅ）下記のようにして構造式VIの化合物の塩素基を選択的に置換して構造式VIIの化合物を生成し
【化６】
2004513118.tif 000006
そして、
ｆ）下記のようにして構造式VIIの化合物の臭素基を置換ボロン酸と反応させることにより選択的に置換して構造式Ｉの化合物を生成し
【化７】
2004513118.tif 000007
（式中、R1、R2およびR3は請求項１で定義された通りである）、
工程ａ)、ｂ)、ｃ)、ｄ)、ｅ）およびｆ）において、必要に応じて何れかの官能基を保護基で保護し、その後
ｇ）上記保護基を除去し
ｈ）本明細書で開示した方法Ａ〜Ｌに記載の手順に従って構造式Ｉの化合物を他の構造式Ｉの化合物に変換し、そして
ｉ）構造式Ｉの化合物を必要な程度まで精製し、必要に応じて製薬上許容しうる塩を生成することからなる請求項１記載の化合物の製造法。
【請求項６】  請求項１記載の化合物を賦形剤、希釈剤または安定剤から選択される１種以上の添加剤と一緒に含有する急性、持続性または神経因性疼痛を治療するための医薬組成物。
【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】  式Ｖ−Ｌ−Ｗ−Ｘ
（式中、
Ｖは、細菌におけるペプチドグリカン生合成を阻害する糖ペプチド部分であり；
Ｌは、連結基であり；
Ｗは、ペプチド性膜関連成分であり；
Ｘは、水素又は膜挿入型成分である。）
で表される抗菌化合物。
【請求項２】  Ｖ−Ｌ−が、下記式：
【化１】
2004513132.tif 000001
（式中、
Ｙ及びＹ’は、独立に水素又はクロロであり；
Ｒは、水素、４−エピ−バンコサミニル、アクチノサミニル、リストサミニル、又は式−Ｒａ−Ｌ−の基であり、ここで、Ｒａは、４−エピ−バンコサミニル、アクチノサミニル、リストサミニルであり、ＬはＲａのアミノ基に結合しており；
Ｒ１は、水素、又はマンノースであり；
Ｒ２は、−ＮＨ２−、−ＮＨＣＨ３、−Ｎ（ＣＨ３）２、−ＮＨＬ−、又はＮ（ＣＨ３）Ｌ−であり；
Ｒ３は、−ＣＨ２ＣＨ（ＣＨ３）２、［ｐ−ＯＨ、ｍ−Ｃｌ］フェニル、ｐ−ラムノース−フェニル、［ｐ−ラムノース−ガラクトース］フェニル、［ｐ−ガラクトース−ガラクトース］フェニル、又は［ｐ−ＣＨ３Ｏ−ラムノース］フェニルであり；
Ｒ４は、−ＣＨ２−（ＣＯ）ＮＨ２、ベンジル、［ｐ−ＯＨ］フェニル、又は［ｐ−ＯＨ，ｍ−Ｃｌ］フェニルであり；
Ｒ５は、水素、又はマンノースであり；
Ｒ６は、水素、４−エピ−バンコサミニル、バンコサミニル、アクチノサミニル、リストサミニル、又はアコサミニルであるか、あるいは、Ｒ６は、式Ｒｂ−Ｌ−の基であって、ここで、Ｒｂは４−エピ−バンコサミニル、バンコサミニル、アクチノサミニル、リストサミニル、又はアコサミニルであり、ＬはＲｂのアミノ基に結合しているか、あるいは、Ｒ６は、基Ｒｂ−Ｒ７であって、ここで、Ｒ７は、１，０００Ｄａ以下の有機側鎖部分であり；
Ｔｅｒ１は、ヒドロキシ又は−Ｌ−である；
但し、当該化合物は、少なくとも１つの基−Ｌ−を含むものとする。）
で表されるもの又はその塩である、請求項１記載の化合物。
【請求項３】  有機側鎖部分が、式−ＣＨ２−Ｒ８を有するものを含み、ここでＲ８は水素、Ｃ１−Ｃ１５アルキル、Ｃ２−Ｃ１５アルケニル、Ｃ２−Ｃ１５アルキニル、Ｃ１−Ｃ７ハロアルキル、アセナフテニル、２−フルオレニル、９，１０−ジヒドロ−２−フェナントレニル、Ｒ９、Ｃ１−Ｃ１１アルキル−Ｒ９、Ｃ２−Ｃ７アルケニル−Ｒ９、Ｃ２−Ｃ７アルキニル−Ｒ９、又はＣ１−Ｃ７アルキル−Ｏ−Ｒ９であり、ここで、Ｒ９は、下記式の基である：
−Ｒ１０−［リンカー（０又は１）−Ｒ１０］（０又は１）
（式中、各Ｒ１０は、独立に、フェニル、Ｃ５−Ｃ６シクロアルキル、ナフチル、又はチエニルを表し、その各々は、非置換、又は１若しくは２個の置換基で任意により置換されていてもよく、該置換基の各々は、独立に、Ｃ１−Ｃ１０アルキル、Ｃ１−Ｃ２ハロアルキル、Ｃ１−Ｃ２ハロアルコキシ、Ｃ１−Ｃ１０アルコキシ、ハロ、シアノ、又はニトロであり；
「リンカー」は、−Ｃ１−Ｃ３アルキレン、−Ｏ−Ｃ１−Ｃ６アルキレン、−Ｃ１−Ｃ６アルキレン−Ｏ−、−Ｏ−、−Ｎ（Ｈ又はＣ１−Ｃ３低級アルキル）−、−Ｓ−、−ＳＯ−、−ＳＯ２−、−ＮＨ−Ｃ（Ｏ）−、−Ｃ（Ｏ）−ＮＨ−、−ＣＨ＝ＣＨ−、−Ｃ≡Ｃ−、−Ｎ＝Ｎ−、−Ｏ−Ｃ（Ｏ）−、又は−Ｃ（Ｏ）−Ｏ−である。）、
請求項２記載の化合物。
【請求項４】  Ｖが、バンコマイシン、クロロエレモマイシン、テイコプラニンＡ２−２、リストセチンＡ、エレモマイシン、バルキマイシン、アクチノジンＡ、コムプレスタニン、クロロペプチン１、キスタマイシンＡ及びアボパルシンからなる群より選択される、請求項１〜３のいずれか１項に記載の化合物。
【請求項５】  Ｗが、少なくとも１つの配列（Ｘａａ）ｎを含む膜結合ペプチドを含み、ここでｎは１〜１２であり、各Ｘａａは独立にリジン又はアルギニンである、請求項１〜４のいずれか１項に記載の化合物。
【請求項６】  Ｗが、リジン及びアルギニンから選択される２〜１０個の連続する残基を含む膜結合ペプチドを含む、請求項１〜５のいずれか１項に記載の化合物。
【請求項７】  膜結合ペプチドが７〜３０個のアミノ酸を含む、請求項６記載の化合物。
【請求項８】  膜結合ペプチドが、以下のペプチド：
DGPKKKKKKSPSKSSG（配列番号４）；
GSSKSPSKKKKKKPGD（配列番号５）；
SPSNETPKKKKKRFSFKKSG（配列番号６）；
DGPKKKKKKSPSKSSK（配列番号７）；及び
SKDGKKKKKKSKTK（配列番号８）
からなる群より選択される、請求項６又は７記載の化合物。
【請求項９】  Ｗが膜挿入ペプチドを含む、請求項１〜８のいずれか１項に記載の化合物。
【請求項１０】  膜挿入ペプチドが、αディフェンシン、βディフェンシン及びバクテリオシンから選択される、請求項９記載の化合物。
【請求項１１】  βディフェンシンがタキプレシンである、請求項１０記載の化合物。
【請求項１２】  膜挿入ペプチドがマガイニンである、請求項９記載の化合物。
【請求項１３】  膜挿入ペプチドがマキュラチン（maculatin）1.1又はカエリン（caerin）1.1である、請求項９記載の化合物。
【請求項１４】  Ｘが、以下のパラメータ：
―  ６〜３０個の炭素原子を有する（芳香族環が存在する場合にはそのいずれの芳香族環の炭素原子をも含む）；
−  直線状又は分枝鎖状であり、後者の場合には１〜３個の分枝点を含む；
−  飽和又は不飽和であり、後者の場合には１〜４個の二重又は三重結合を含む；
−  任意により、Ｓ、Ｏ又はＮから独立に選択される１、２又は３個の複素原子を有していてもよい（芳香族環がある場合、その芳香族環に複素原子が存在する場合にはそれに加えて有する）；
−  任意により、１個以上、例えば２又は３個の芳香族環を含んでもよく、これらは融合されていてもよく、その各々が１、２又は３個の複素原子（存在する場合にはＳ、Ｏ又はＮから独立に選択される）を含んでいてもよい；並びに、
−  任意により、ヒドロキシ、−ＳＨ、アミノ及びハロから選択される１〜３個の置換基を有していてもよい、
を有する親油性鎖である、請求項１〜１３のいずれか１項に記載の化合物。
【請求項１５】  ヒト又は動物の身体の治療又は予防方法に使用するための請求項１〜１４のいずれか１項に記載の化合物。
【請求項１６】  細菌感染症の治療又は予防のための医薬を製造するための請求項１〜１４のいずれか１項に記載の化合物の使用。
【請求項１７】  請求項１〜１４のいずれか１項に記載の化合物及び薬学的に許容される担体を含む組成物。
【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】  固形腫瘍の成長を抑制するための組成物であって、該組成物は、有効量のウイルスおよび薬学的に受容可能なキャリアを含み、ここで、該ウイルスが以下：
（ａ）該固形腫瘍内の複数部位への、該組成物の送達；および
（ｂ）該腫瘍への、該組成物の直接送達であって、ここで該組成物の容量が、該腫瘍の容量の約１０％〜約１００％である送達、
から成る群から選択される基礎投与により腫瘍細胞を選択的に死滅させ得る、組成物。
【請求項２】  前記ウイルスがレオウイルスである、請求項１に記載の組成物。
【請求項３】  前記レオウイルスが哺乳動物レオウイルスである、請求項２に記載の組成物。
【請求項４】  前記哺乳動物レオウイルスがヒトレオウイルスである、請求項３に記載の組成物。
【請求項５】  前記ヒトレオウイルスが血清型３ウイルスである、請求項４に記載の組成物。
【請求項６】  前記血清型３ウイルスがＤｅａｒｉｎｇ株ウイルスである、請求項５に記載の組成物。
【請求項７】  前記ウイルスが、改変型アデノウイルス、改変型ＨＳＶ、改変型ワクシニアウイルス、改変型パラポックスウイルスｏｒｆウイルス、ｐ５３発現ウイルス、ＯＮＹＸ−０１５ウイルス、デルタ２４ウイルス、水疱性口内炎ウイルス、ｈｒＲ３が欠損した単純ヘルペスウイルス１型変異体、ニューカッスル病ウイルス、脳炎ウイルス、帯状ヘルペスウイルス、肝炎ウイルス、インフルエンザウイルス、水痘ウイルス、および麻疹ウイルスからなる群から選択される、請求項１に記載の組成物。
【請求項８】  前記（ａ）において、前記ウイルスが、前記腫瘍塊中の少なくとも３つの部位に送達される、請求項１〜７のいずれか１項に記載の組成物。
【請求項９】  前記（ａ）において、前記ウイルスが、前記腫瘍塊中の少なくとも５つの部位に送達される、請求項１〜７のいずれか１項に記載の組成物。
【請求項１０】  前記（ａ）において、前記ウイルスが、前記腫瘍の約０．２５立方センチメートルあたり１つの部位に送達される、請求項１〜７のいずれか１項に記載の組成物。
【請求項１１】  前記（ｂ）において、前記組成物の容量が、前記腫瘍の少なくとも３０％の容量である、請求項１〜７のいずれか１項に記載の組成物。
【請求項１２】  前記（ｂ）において、前記組成物の容量が、前記腫瘍の少なくとも５０％の容量である、請求項１〜１１のいずれか１項に記載の組成物。
【請求項１３】  前記（ａ）において、送達される前記ウイルス組成物の総量が、前記腫瘍の容量の約１０％〜約１００％である、請求項１〜１２のいずれか１項に記載の組成物。
【請求項１４】  固形腫瘍の成長を抑制するために該腫瘍にウイルスを送達するためのキットであって、該キットは、有効量のウイルスおよび薬学的に受容可能なキャリアを含む組成物；および説明書を含み、ここで該説明書は、以下：
（ａ）該固形腫瘍内の複数部位への、該ウイルスを含む組成物の送達；および
（ｂ）該腫瘍への組成物の直接送達であって、ここで該組成物の容量が、該腫瘍の容量の約１０％〜約１００％である送達、
から成る群から選択される基礎投与により腫瘍細胞を選択的に死滅させ得ることを示す、キット。
【請求項１５】  前記ウイルスがレオウイルスである、請求項１４に記載のキット。
【請求項１６】  前記レオウイルスが哺乳動物レオウイルスである、請求項１５に記載のキット。
【請求項１７】  前記哺乳動物レオウイルスがヒトレオウイルスである、請求項１６に記載のキット。
【請求項１８】  前記ヒトレオウイルスが血清型３ウイルスである、請求項１７に記載のキット。
【請求項１９】  前記血清型３ウイルスがＤｅａｒｉｎｇ株ウイルスである、請求項１８に記載のキット。
【請求項２０】  前記ウイルスが、改変型アデノウイルス、改変型ＨＳＶ、改変型ワクシニアウイルス、改変型パラポックスウイルスｏｒｆウイルス、ｐ５３発現ウイルス、ＯＮＹＸ−０１５ウイルス、デルタ２４ウイルス、水疱性口内炎ウイルス、ｈｒＲ３が欠損した単純ヘルペスウイルス１型変異体、ニューカッスル病ウイルス、脳炎ウイルス、帯状ヘルペスウイルス、肝炎ウイルス、インフルエンザウイルス、水痘ウイルス、および麻疹ウイルスからなる群から選択される、請求項１４に記載のキット。
【請求項２１】  前記（ａ）において、前記ウイルスが、前記腫瘍塊中の少なくとも３つの部位に送達される、請求項１４〜２０のいずれか１項に記載のキット。
【請求項２２】  前記（ａ）において、前記ウイルスが、前記腫瘍塊中の少なくとも５つの部位に送達される、請求項１４〜２０のいずれか１項に記載のキット。
【請求項２３】  前記（ａ）において、前記ウイルスが、前記腫瘍の約０．２５立方センチメートルあたり１つの部位に送達される、請求項１４〜２０のいずれか１項に記載のキット。
【請求項２４】  前記（ｂ）において、前記組成物の容量が、前記腫瘍の少なくとも３０％の容量である、請求項１４〜２０のいずれか１項に記載のキット。
【請求項２５】  前記（ｂ）において、前記組成物の容量が、前記腫瘍の少なくとも５０％の容量である、請求項１４〜２４のいずれか１項に記載のキット。
【請求項２６】  前記（ａ）において、送達される前記ウイルス組成物の総量が、前記腫瘍の容量の約１０％〜約１００％である、請求項１４〜２４のいずれか１項に記載のキット。
【請求項２７】  有効量のウイルスおよび薬学的に受容可能なキャリアを含む組成物をさらに含む、請求項１４〜２６のいずれか１項に記載のキットであって、ここで該組成物は、以下の（ａ）〜（ｄ）；
（ａ）前記固形腫瘍内の複数部位への該組成物の送達；
（ｂ）該腫瘍への該組成物の直接送達であって、ここで該組成物の容量が該腫瘍の約１０％〜約１００％の容量である送達、
（ｃ）経皮パッチ、皮膚へのスプレー、あるいは局所投与による該ウイルスの送達であって、ここで該腫瘍が表層性腫瘍である送達；および
（ｄ）該ウイルスの全身送達、
からなる群より選択される少なくとも１つの追加投与のために使用される、請求項１４〜２６のいずれか１項に記載のキット。
【請求項２８】  前記少なくとも１つの追加投与が、前記基礎投与の前、または後に行われる、請求項２７に記載のキット。
【請求項２９】  前記少なくとも１つの追加投与が、前記基礎投与と同時である、請求項２７に記載の方法。
【手続補正書】
【提出日】平成15年6月12日(2003.6.12)
【手続補正１】
【補正対象書類名】明細書
【補正対象項目名】特許請求の範囲
【補正方法】変更
【補正の内容】
【特許請求の範囲】
【請求項１】
式I：
【化１】
2004513170.tif 000001
[式中、置換基及び添え字は以下に定義されている通りである：
Ｒ１は水素又はメチルであり；
Ｒ２はメチルであり；
Ｒ３はＣ２〜Ｃ10-アルキル、Ｃ１〜Ｃ４-アルコキシメチル、Ｃ３〜Ｃ10-シクロアルキル、又はＣ３〜Ｃ10-シクロアルキル-Ｃ１〜Ｃ４-アルキルであり、この場合、これらの基は１〜３個の置換基Ｒaを有していてもよく；
(Ｒ４)ｎは2,6-ジフルオロ-4-メチルであり；
Ｙはハロゲン、シアノ、Ｃ１〜Ｃ４-アルキル又はＣ１〜Ｃ４-アルコキシであり；
＊は(R)-配置にあるキラル中心である]
で表される7-(R)-アミノトリアゾロピリミジン。
【請求項２】
Ｒ１は水素であり；Ｒ３はＣ２〜Ｃ10-アルキル又はＣ３〜Ｃ10-シクロアルキルであり；Ｙは塩素である、請求項１に記載の式Iの化合物。
【請求項３】
Ｒ３はt-ブチル又はイソプロピルである、請求項２に記載の式Iの化合物。
【請求項４】
請求項１に記載された式Iの化合物の製造方法であって、
式II：
【化２】
2004513170.tif 000002
[式中、置換基Ｒ４及びＹ並びに添え字ｎは、請求項１で定義されている通りである]で表される7-ハロトリアゾロピリミジンを式III：
【化３】
2004513170.tif 000003
[式中、置換基Ｒ１、Ｒ２及びＲ３は請求項１で定義されている通りである]で表される(R)-配置のアミンと反応させることを含んでなる前記方法。
【請求項５】
(R)-3,3-ジメチルブタ-2-イルアミン又は(R)-3-メチルブタ-2-イルアミンを用いる、請求項４に記載の方法。
【請求項６】
式IIIの(R)-配置のアミンを、以下の工程：
(ｉ)  加水分解酵素の存在下に、その酸成分のカルボニル炭素の近くにフッ素原子、窒素原子、酸素原子又は硫黄原子を有するエステルを用いて、式IIIのラセミ体アミンをエナンチオ選択的にアシル化し；
(ii)  (S)-アミン IIIとアシル化された(R)-アミン IIIの混合物を分離し；
(iii)  アシル化された(R)-アミン IIIをアミド切断に付す
ことにより製造する、請求項４に記載の方法。
【請求項７】
固体担体及び／又は液体担体と、殺真菌剤として有効な量の請求項１に記載された式Iの少なくとも1種の化合物を含んでなる殺真菌剤組成物。
【請求項８】
植物病原性真菌を防除する方法であって、真菌、又は真菌の攻撃を受けるおそれのある材料、植物、種子若しくは土壌を、殺真菌剤として有効な量の請求項１に記載されている式Iの少なくとも1種の化合物で処理することを含んでなる前記方法。
【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2004513164.tif 000001
（式中、Ｒ１はＨ、ＣＮ、ハロ、Ｃ１〜Ｃ６アルキル、Ｃ１〜Ｃ４ハロアルキル、ＣＯ２Ｒ８、ＣＯＮＨＲ８、ＮＨＣＯＲ８、ＮＨＲ８、ＯＲ８、ＳＲ８、ＳＯＲ８、ＳＯ２Ｒ８またはＳＯ２ＮＨＲ８であり；
Ｒ１ａはＨ、ハロまたはＣ１〜Ｃ６アルキルであり；
Ｒ２はＨ、Ｃ１〜Ｃ６アルキルまたはベンジルであり；
Ｒ３はＣ１〜Ｃ６アルキルまたはベンジルであり；または
Ｒ２およびＲ３はそれぞれが結合している炭素と一緒になってＣ３〜Ｃ７炭素環を形成し（ただしＲ３がＣ２〜Ｃ６アルキルまたはベンジルである場合は、Ｒ２は水素でなければならない）；
Ｒ４はＨまたはＣ１〜Ｃ６アルキルであり；
Ｒ５およびＲ６は独立してＨまたはＣ１〜Ｃ６アルキルであるか、
Ｒ５およびＲ６はそれぞれが結合している炭素と一緒になってＣ３〜Ｃ６炭素環を形成し；または
Ｒ６はＸ１、両方が結合している炭素、およびＸ１が結合しているフェニル基と一緒になって：
【化２】
2004513164.tif 000002
（式中、ｍおよびｎは独立して０、１、２、または３である。ただしｎ＋ｑの合計は≦５であり、かつＲ５はＨである。）
からなる群より選択される部分を形成し；
Ｒ７は水素、置換されていてもよいフェニルまたは置換されていてもよい複素環であり；
Ｒ８はＨまたはＣ１〜Ｃ６アルキルであり；
ＸはＯＣＨ２、ＳＣＨ２または結合であり；
Ｘ１は結合またはＣ１〜Ｃ５二価炭化水素部分であり；
Ｘ２はＯ、Ｓ、ＮＨ、ＮＨＳＯ２、ＳＯ２ＮＨ、ＣＨ２または結合である）
で示される化合物、またはその医薬用の塩。
【請求項２】  Ｒ１はＨ、ＣＮ、ハロ、Ｃ１〜Ｃ４アルキル、Ｃ１〜Ｃ４ハロアルキル、ＣＯ２Ｒ８、ＣＯＮＨＲ８、ＮＨＣＯＲ８、ＮＨＲ８、ＯＲ８、ＳＲ８、ＳＯＲ８、ＳＯ２Ｒ８またはＳＯ２ＮＨＲ８であり；
Ｒ１ａはＨ、ハロまたはＣ１〜Ｃ４アルキルであり；
Ｒ４はＨまたはＣ１〜Ｃ４アルキルであり；
Ｒ５およびＲ６は独立してＨまたはＣ１〜Ｃ４アルキルであるか、
Ｒ５およびＲ６はそれぞれが結合している炭素と結合しており；または
Ｒ６はＸ１、両方が結合している炭素、およびＸ１が結合しているフェニル基と結合しており；
Ｒ７は水素、フェニルまたは複素環（該フェニルまたは複素環は独立してヒドロキシ、オキソ、ニトロ、フェニル、ベンジル、Ｃ１〜Ｃ４アルコキシ、ＣＯＲ８、ＮＨＣＯ（Ｃ１〜Ｃ４アルキル）、ＮＨＣＯ（フェニル）、ＮＨＣＯ（ベンジル）、ＯＣＯ（Ｃ１〜Ｃ４アルキル）、ＯＣＯ２Ｒ８またはＯＣＯＮＲ８Ｒ８で１から３回任意に置換されている）であり；
Ｒ８はＨまたはＣ１〜Ｃ６アルキルである、
請求項１に記載の化合物、またはその医薬用の塩。
【請求項３】  Ｒ１はＨであり；
Ｒ１ａはＨであり；
Ｒ２およびＲ３はいずれもメチルであるか、またはそれぞれが結合している炭素と一緒になって五環式炭素環を形成し；
Ｒ４はＨであり；
Ｒ５およびＲ６は独立してＨまたはメチルであり；
Ｒ７はフェニル、ピリジル、ピリダジニルまたはピリミジニル（該Ｒ７部分はクロロ、シアノ、ＣＯＮＨ２またはＣＯ２ＣＨ３で１または２回任意に置換されている）であり；
ＸはＯＣＨ２であって、インドール環系に該系の４位で連結されており；
Ｘ１はＣＨ２であり；および
Ｘ２はＯである、
請求項１または２に記載の化合物、またはその医薬用の塩。
【請求項４】  式：
【化３】
2004513164.tif 000003
（式中、Ｒ７はフェニルまたはピリジルであって、該Ｒ７部分はシアノまたはＣＯＮＨ２で１回置換されている）
で示される、請求項１〜３のいずれか一項に記載の化合物、またはその医薬用の塩。
【請求項５】  
【化４】
2004513164.tif 000004
からなる群より選択される、請求項１〜４のいずれか一項に記載の化合物、またはその医薬用の塩。
【請求項６】  塩酸塩である、請求項１〜５のいずれか一項に記載の化合物。
【請求項７】  請求項１〜６のいずれか一項に記載の化合物を含有する医薬製剤。
【請求項８】  ＩＩ型糖尿病、肥満の治療において使用するための、請求項１〜６のいずれか一項に記載の化合物。
【請求項９】  式ＩＩ：
【化５】
2004513164.tif 000005
（式中、Ｒ１はＨ、ＣＮ、ハロ、Ｃ１〜Ｃ６アルキル、Ｃ１〜Ｃ４ハロアルキル、ＣＯ２Ｒ８、ＣＯＮＨＲ８、ＮＨＣＯＲ８、ＮＨＲ８、ＯＲ８、ＳＲ８、ＳＯＲ８、ＳＯ２Ｒ８またはＳＯ２ＮＨＲ８であり；
Ｒ２はＨ、Ｃ１〜Ｃ６アルキルまたはベンジルであり；
Ｒ３はＣ１〜Ｃ６アルキルまたはベンジルであり；
Ｒ８はＨまたはＣ１〜Ｃ６アルキルであり；および
ＸはＯＣＨ２、ＳＣＨ２または結合である）
で示される化合物、またはその塩。
【請求項１０】  式：
【化６】
2004513164.tif 000006
で示される、請求項９に記載の化合物、またはその塩。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】  式(I)
2004513163.tif 000001
[式中、Xは酸素又は硫黄であり;
R1はCF3、CF2H又はCFH2であり;
R2はC1-C3アルキル、C1-C3ハロアルキル、C1-C3アルコキシ-C1-C3アルキル又は
C1-C3ハロアルコキシ-C1-C3アルキルであり;
R3は水素、メチル、CF3又はフルオロであり;
Qは
2004513163.tif 000002
であり；
R4はメチル、エチル又はCF3によって置換されているか又は置換されていない
C6-C14ビシクロアルキル；メチル、エチル又はCF3によって置換されているか又は置換されていないC6-C14ビシクロアルケニル；メチル、エチル又はCF3によって置換されているか又は置換されていないC6-C14ビシクロアルカジエニル;式
2004513163.tif 000003
(式中、R7、R8及びR9は、相互に独立して、C1-C3アルキル又はC1-C3ハロアルキルである)の基；又は、式
2004513163.tif 000004
(式中、R10及びR11は、相互に独立して、水素又はハロゲンであり、nは１又は２である)の基である;そして
R5及びR6は、相互に独立して、水素又はハロゲンである]で表されるピロールカルボン酸アミド又はピロールカルボチオ酸アミド。
【請求項２】  Xが酸素である、請求項１に記載の化合物。
【請求項３】  Xが硫黄である、請求項１に記載の化合物。
【請求項４】  R1がCF3であり;R2がC1-C3アルキル、C1-C3ハロアルキル又はC1-C3アルコキシ-C1-C3アルキルであり;R3が水素又はフルオロであり;QがQ１であり;R4がメチル、エチル又はCF3によって置換されているか又は置換されていない
C6-C10ビシクロアルキル；メチル、エチル又はCF3によって置換されているか又は置換されていないC6-C10ビシクロアルケニル；メチル、エチル又はCF3によって置換されているか又は置換されていないC6-C10ビシクロアルカジエニル;式
2004513163.tif 000005
(式中、R7、R8及びR9は、相互に独立して、C1-C3アルキル又はC1-C3ハロアルキルである)の基であり；R5及びR6が、相互に独立して、水素、クロロ叉はフルオロである、請求項１に記載の化合物。
【請求項５】  R4が式
2004513163.tif 000006
(式中、R7、R8及びR9は、相互に独立して、C1-C3アルキル又はC1-C3ハロアルキルである)の基である、請求項４に記載の化合物。
【請求項６】  第１の工程で、ピロールカルボン酸II
2004513163.tif 000007
を酸クロライドIII
2004513163.tif 000008
に転化し、ついで、ピロール酸クロライドIIIとアミンIV
H2N-Q        IV
とを反応させて式I
2004513163.tif 000009
の化合物を形成させることにより、X＝Oである式Iの化合物を調製し、ついで、場合により、これらの化合物を、ジオキサン、テトラヒドロフラン叉はトルエン中、０℃〜還流温度でローエッソン試薬叉はP2S5と反応させて
2004513163.tif 000010
(式中、R1、R2、R3及びQは請求項１で式Iについて定義したものである)を形成させることにより、X＝Sである式Iの化合物に転化することからなる、式Iの化合物の製造方法。
【請求項７】  活性成分が、適当な担体と組合された請求項１に記載の化合物である、微生物を抑制し、植物への攻撃及び感染を防止するための組成物。
【請求項８】  請求項１に記載の式Iの化合物を植物、植物の部分叉は植物の生育場所に施すことからなる栽培植物への植物病因性微生物の感染の防除方法。
【請求項９】  式IV H2N-Q（式中、R4、R5、R6、R7、R8、R9、R10及びR11は請求項１に記載の意義を有する）で表されるアミン中間体。
【請求項１０】  
工程a) 式Xのホルミル誘導体W-NHCHOと式IXのケトンとを溶剤中で、２-３当量のn-BuLi叉はsec-BuLi叉は他の強塩基の存在下、-100〜-110℃の温度で反応させて式XI(WY-NHCHO)の化合物を形成させ；式XIのホルミル誘導体を、アルコール中でNaOH叉はKOHと反応させることにより、塩基性加水分解により、式VI(H2N-WY)のアミン化合物に転化し；ついで、アミンVIを、強酸(例えば硫酸)の存在下、Pd/木炭を使用して水素化するか、或いは、水を除去しついで水素化することにより化合物IV(H2N-Q)を形成させる工程；叉は
工程b) 式XII(H2N-T)のアミンと過剰の式XVのグリニヤール試薬とをTHF叉はエーテルのごとき溶剤中で、０℃〜還流温度で反応させて式VIのアミンを形成させ、ついで、アミンVIを水を除去することによりアミンXIV(H2N-TG)に転化し；
THF叉はアルコールのごとき溶剤中で、０℃〜還流温度で、木炭上のPd叉はPtを使用してXIVを水素化して式IVの化合物を調製するか、叉は、アルコールのごとき溶剤中で、硫酸の存在下、木炭上のPdを使用して水素化することにより、式VIから直接アミンIVを得る工程；叉は、
工程c) ニトロ誘導体NO2-W(式XIII)と式IXのケトンとを反応させて式VIIのニトロ誘導体NO2-WYを形成させ；ピリジン中で、０℃〜還流温度でSOCl2叉はPOCl3と反応させることにより、式VIIの化合物を誘導体VIII(NO2-TG)に転化し；ついで式
VIIIの化合物をアルコール中で、50〜200バールの圧力下、50〜150℃の温度で、ラニー-Niを使用して水素化することにより式IVの化合物を調製する工程：
(上記式中、Q、R5、R6、R7、R8、R9、R10及びR11は請求項１において式Iの化合物について定義した意義を有し、HalはBr叉はIであり、Wは
2004513163.tif 000011
であり、IXは
2004513163.tif 000012
(上記式中、n＋m＝２−10である)であり、WYは
2004513163.tif 000013
(上記式中、n＋m＝2−10である)であり、Tは
2004513163.tif 000014
であり、XVは
2004513163.tif 000015
であり、TGは
2004513163.tif 000016
である）を行うことを特徴とする、請求項22に記載の式IVの化合物の製造方法。
【手続補正書】
【提出日】平成15年5月1日(2003.5.1)
【手続補正１】
【補正対象書類名】明細書
【補正対象項目名】特許請求の範囲
【補正方法】変更
【補正の内容】
【特許請求の範囲】
【請求項１】
冷却系を有するエンジンに使用されるオイルフィルターアセンブリであって、
前記エンジンからのオイルを収容するための第一のチャンバーを形成するハウジングを有し、該ハウジングは、（ａ）前記エンジンに取り付けられるように構成された第一の端部、及び第一のねじ付表面を有する第二の端部を有するハウジングベースと、（ｂ）前記ハウジングベースの前記第一のねじ付表面と螺合する第二のねじ付面を有するハウジングカバーとを有し、
前記冷却系からの冷却液を収容するための第二のチャンバーを形成するクーリングエレメントと、
前記エンジンからの未濾過オイルを受け入れ、該オイルを前記第一のチャンバーへ送るためのオイル流入口と、
濾過済みオイルを前記エンジンに戻すためのオイル流出口と、
前記第一のチャンバー内に配置され、前記オイルを濾過する交換可能なフィルターエレメントと、
前記冷却系から低温の冷却液を受け入れ、該冷却液を前記クーリングエレメントによって形成された前記第二のチャンバーへ送るための冷却液流入口と、
暖められた冷却液を、前記クーリングエレメントによって形成された前記第二のチャンバーから前記冷却系へ送るための冷却液流出口とを有するオイルフィルターアセンブリ。
【請求項２】
前記ハウジングは迅速解放導管及び迅速解放弁を有し、前記迅速解放弁は、前記ハウジングベースと前記ハウジングカバーとが螺合取り付けされたときの密封位置から、前記ハウジングベースから前記ハウジングカバーを弛めたときに、前記迅速解放導管をオイルが流れることのできる開放位置へと移動することによって、前記迅速解放導管を解放可能に密封する請求項１のオイルフィルターアセンブリ。
【請求項３】
前記ハウジングは、外方に延びる複数の突起を備えた外面を有し、前記ハウジングからの伝熱を促進させる請求項１のオイルフィルターアセンブリ。
【請求項４】
前記複数の突起の隣接する突起はハウジング壁部によって分離され、前記ハウジング壁部は前記隣接する突起よりも薄い断面を有し、前記オイルから前記ハウジングの前記外部への熱の伝達を改善する請求項３のオイルフィルターアセンブリ。
【請求項５】
前記クーリングエレメントは内部空間を形成するのに必要な大きさに形成され、前記フィルターエレメントは前記空間内に実質的に取り付けられる大きさに形成される請求項１のオイルフィルターアセンブリ。
【請求項６】
前記オイルフィルターエレメントは空間を形成し、前記クーリングエレメントは前記空間内に実質的に取り付けられる大きさに形成される請求項１のオイルフィルターアセンブリ。
【請求項７】
前記クーリングエレメントは、実質的に連続した管によって形成され、前記第一のチャンバーに取り付けられる大きさに形成される請求項１のオイルフィルターアセンブリ。
【請求項８】
前記管は、中央空間を形成するらせん部材を形成するように構成される請求項７のオイルフィルターアセンブリ。
【請求項９】
前記管は、長手方向に延びる複数の正弦曲線状の部分を有する環状部材に形成されてなる請求項７のオイルフィルターアセンブリ。
【請求項１０】
前記環状部材は、内部空間を形成するのに必要な大きさに形成され、前記フィルターエレメントは、前記内部空間内に実質的に取り付けられる大きさに形成される請求項９のオイルフィルターアセンブリ。
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】  燃料ガスサチュレータ（１０１）内の水位を調整する方法において、
前記燃料ガスサチュレータにより供給される湿潤燃料ガスの中の水の割合を判定する過程（３１５、３１６、３０２）と、
前記燃料ガスサチュレータに入る乾燥燃料ガスの流量を判定する過程（３１３）と、
前記燃料ガスサチュレータにより供給される湿潤燃料ガスの中の水の部分の流量を湿潤燃料ガスを直接に流量測定せずに判定する過程と、
前記燃料ガスサチュレータ内の水位を調整し（３０４）、それにより、定常状態動作条件及び過渡動作条件の全てを通して前記燃料ガスサチュレータ内の安定した水位を維持するために、前記燃料ガスサチュレータから出る湿潤燃料ガスの中の水の部分の判定された流量に従って、前記燃料ガスサチュレータに入る補給水の流れを調整する過程（３０３）とから成る方法。
【請求項２】  電気を発生するためのガスタービン（１０２）及び蒸気タービン（１０３）と、前記ガスタービンの排気ガスから熱を回収し且つ前記蒸気タービンで使用するための蒸気を発生する熱回収蒸気発生器（１０５）と、前記ガスタービンに湿潤燃料ガスを供給する燃料ガスサチュレータ（３０１）とを有する複合サイクルシステムにあって、前記燃料ガスサチュレータ内の水位を調整する方法において、
前記燃料ガスサチュレータにより供給される湿潤燃料ガスの中の水の割合を判定し、それに応答して第１の信号を供給する過程（３１５、３１６、３０２）と、
前記燃料ガスサチュレータに入る乾燥燃料ガスの流量を判定し、それに応答して第２の信号を供給する過程（３１３）と、
前記第１及び第２の信号を使用して、湿潤燃料ガスを直接に流量測定せずに、前記燃料ガスサチュレータにより供給される湿潤燃料ガスの中の水の流量を計算する過程と、
前記燃料ガスサチュレータ内の水位を調整し、それにより、定常状態動作条件及び過渡動作条件の全てを通して前記燃料ガスサチュレータ内の安定した水位を維持するために、前記燃料ガスサチュレータから出る湿潤燃料ガスの中の水の計算された流量に従って、前記燃料ガスサチュレータに入る補給水の流れを調整する過程（３０３）とから成る方法。
【請求項３】  前記燃料ガスサチュレータに入る補給水の流量を判定すること（３１２）と、前記燃料ガスサチュレータ内の水位を判定することと、湿潤燃料ガスの中の前記燃料ガスサチュレータから出る水の流量及び前記燃料ガスサチュレータ内の水のその水位設定点に対する水位に関して前記燃料ガスサチュレータに入る補給水の流れを調整することとを含む請求項１又は請求項２に記載の方法。
【請求項４】  前記燃料ガスサチュレータから出る湿潤燃料ガスの中の水の割合を判定する過程は、前記燃料ガスサチュレータにより供給される湿潤燃料ガスの温度（３１５）及び圧力（３１６）を判定することを含む請求項１、請求項２又は請求項３に記載の方法。
【請求項５】  前記ガス燃料サチュレータに入る補給水の流量を判定すること（３１２）と、前記燃料ガスサチュレータ内の水位を判定すること（３１１）と、湿潤燃料ガスの中の前記燃料ガスサチュレータから出る水の流量及び前記燃料ガスサチュレータ内の水のその水位設定点に対する水位に関して前記燃料ガスサチュレータに入る補給水の流れを調整すること（３０２、３０３）とを含む請求項４記載の方法。
【請求項６】  前記燃料ガスサチュレータにより供給される湿潤燃料ガスの中の水の割合を判定する過程は、湿潤燃料ガスの湿度を感知すること（４１７）と、それに応答して信号を供給することと、前記信号に応答して前記燃料ガスサチュレータ内の水位を調整することとを含む請求項１又は請求項２に記載の方法。
【請求項７】  前記燃料ガスサチュレータにより供給される湿潤燃料ガスの中の水の割合を判定するために湿潤燃料ガスの組成を判定することを含む請求項１又は請求項２に記載の方法。
【請求項８】  燃料ガスサチュレータ内の水位を調整する装置において、
前記燃料ガスサチュレータにより供給される湿潤燃料ガスを直接に流量測定せずに湿潤燃料ガスの中の水の割合を判定し、それに応答して第１の信号を供給する手段（３１５、３１６、３０２）と、
前記燃料ガスサチュレータに入る乾燥燃料ガスの流量を判定し、それに応答して第２の信号を供給するセンサ（３１３）と、
前記第１及び第２の信号から、湿潤燃料ガスを直接に流量測定せずに、前記燃料ガスサチュレータにより供給される湿潤燃料ガスの中の水の流量を判定する手段と、
前記燃料ガスサチュレータにより供給される湿潤燃料ガスの中の水の判定された流量に従って、前記燃料ガスサチュレータに入る補給水の流れを調整し、それにより、前記燃料ガスサチュレータ内の水位を調整する制御装置（３０２）とを具備する装置。
【請求項９】  前記湿潤燃料ガスの中の水の割合を判定する手段は、前記燃料ガスサチュレータにより供給される湿潤燃料ガスの温度（３１５）及び圧力（３１６）を判定するセンサを含む請求項８記載の装置。
【請求項１０】  前記燃料ガスサチュレータにより供給される湿潤燃料ガスの中の水の割合を判定する手段は、前記燃料ガスサチュレータにより供給される湿潤燃料ガスの中の水の割合を直接測定するセンサを含む請求項８記載の装置。
【手続補正２】
【補正対象書類名】明細書
【補正対象項目名】０００６
【補正方法】変更
【補正の内容】
【０００６】
典型的な燃料ガス湿潤システムで採用されているような、燃料ガス飽和塔に適用される従来の３要素水位調整は、入口燃料ガス流量、補給水流量及び出口湿潤燃料ガス流量の測定を必要とする。補給水の流量は湿潤燃料ガスの流量に比べて少ないため、湿潤燃料ガス流量測定値のわずかな百分率誤差が湿潤燃料ガスの含水量でははるかに大きな百分率誤差に相当してしまうので、この方法には問題がある。
【特許文献１】特開２００１−０２０７５７号公報
【手続補正書】
【提出日】平成15年5月21日(2003.5.21)
【手続補正１】
【補正対象書類名】明細書
【補正対象項目名】特許請求の範囲
【補正方法】変更
【補正の内容】
【特許請求の範囲】
【請求項１】
圧力下にある流体のための流体調量装置であって、ハウジング（３）内に位置する室（３５）が設けられており、該室（３５）に流体流入管路（１７，２１）を通って、圧力負荷された流体が供給されるようになっており、室（３５）を貫いてガイドされた弁ニードル（９）が設けられており、該弁ニードル（９）の第１の端区分が、室（３５）の外部で所定の行程を伴って負荷可能であり、弁ニードル（９）の第２の端区分が、ハウジング（３）に設けられた弁座（１６）と共に、室（３５）に接続された弁を形成しており、弁ニードル（９）の第１の端区分のための弾性的な貫通ガイドエレメント（３３）が、室（３５）から外部に対して設けられており、貫通ガイドエレメント（３３）が、室（３５）をこの領域で密に閉鎖している形式のものにおいて、
貫通ガイドエレメント（３３）と室（３５）への流体流入管路（１７）の開口（１９）との間の室区分において、周方向で見て弁ニードル（９）と室内壁との間に少なくとも１つの絞り箇所（３７，３９）が設けられており、該絞り箇所（３７，３９）を成すギャップが数μｍの幅に寸法設定されていることを特徴とする、流体調量装置。
【請求項２】
貫通ガイドエレメントとしてベローズ、特に金属ベローズ（３３）が設けられている、請求項１記載の流体調量装置。
【請求項３】
金属ベローズ（３３）が、２５〜５００μｍの肉厚を有している、請求項２記載の流体調量装置。
【請求項４】
貫通ガイドエレメント（３３）が、組付けスリーブ（３１）に特に溶接結合によって固定されている、請求項１から３までのいずれか１項記載の流体調量装置。
【請求項５】
組付けスリーブ（３１）によって絞り箇所（３７）が、室（３５）内に形成されている、請求項４記載の流体調量装置。
【請求項６】
上側の弁ニードルガイド（１３）が設けられており、該上側の弁ニードルガイド（１３）によって絞り箇所（３９）が、室（３５）内に形成されている、請求項１から５までのいずれか１項記載の流体調量装置。
【請求項７】
絞り箇所（３７，３９）の領域で弁ニードル（９）と室内壁との間の自由横断面が急激に変化させられている、請求項１から６までのいずれか１項記載の流体調量装置。
【請求項８】
流体として燃料が使用されるようになっており、燃料圧が、１〜５００ｂａｒの範囲にある、請求項１から７までのいずれか１項記載の流体調量装置。
【請求項９】
弁ニードル（９）の隙間嵌めの直径が、金属ベローズ（３３）の液圧的に有効な直径に相当している、請求項１から８までのいずれか１項記載の流体調量装置。